(57)【要約】【課題】情報記録層を保護する保護層の厚みが異なる複数種類の光ディスクに対して、正確に光ディスクの種類判別を行える方法を提供する。【解決手段】光ディスクの表面或いは情報記録層を検出すると検出信号がアサートされる。検出信号のアサート（マスク）期間は、対物レンズの焦点位置が少なくとも光ディスクの表面を通過する際において、検出信号のアサート回数が最大２回となるように設定される。対物レンズが光ディスクに近づく方向に所定の区間移動された後に、検出信号のアサート回数が２回の場合には、１回目のアサート開始から２回目のアサート開始までの時間Ｔ１に基づいて、検出信号のアサート回数が３回以上の場合には、１回目アサート開始から２回目アサート開始までの時間Ｔ１と、２回目のアサート開始から３回目のアサート開始までの時間Ｔ２と、のうち、長い方の時間に基づいて、光ディスクの種類を判別する。【選択図】図６
2009151843.tif 000002
【特許請求の範囲】
【請求項１】
情報記録層を保護する保護層の厚みが異なる複数種類の光ディスクに対して、情報の再生と記録のうち少なくとも一方を行える光ディスク装置であって、
前記光ディスクに光を照射するための光源と、
前記光源から出射される光を前記情報記録層に集光する対物レンズと、
前記光源から出射されて前記光ディスクで反射される光を受光して光電変換する光検出手段と、
前記対物レンズを前記光ディスクに接離する方向に移動する移動手段と、
前記光検出手段から出力される信号を処理する信号処理手段と、
装置内に挿入された前記光ディスクの種類を判別する判別手段と、を備え、
前記光ディスクの種類を判別するにあたって、前記判別手段は、
前記光源から光を出射した状態で、前記移動手段によって前記対物レンズを所定の区間移動する処理と、
前記対物レンズが前記所定の区間移動される際に、前記信号処理手段によって生成される所定の信号が所定の閾値を超えると、前記光ディスクの表面或いは前記情報記録層を検出したことを示す検出信号をアサートする処理と、を実行させ、
前記検出信号のアサート期間は、前記対物レンズの焦点位置が、少なくとも前記光ディスクの表面或いは前記情報記録層を通過する際において、前記検出信号のアサート回数が最大２回となるように設定され、
前記対物レンズが前記所定の区間移動された後に、前記判別手段は、前記検出信号に基づいて、前記対物レンズの焦点位置が前記光ディスクの表面と前記情報記録層との間を移動する移動時間を決定し、該移動時間に基づいて前記光ディスクの種類を判別することを特徴とする光ディスク装置。
【請求項２】
前記対物レンズが前記所定の区間移動された後に、前記判別手段は、
前記検出信号のアサート回数が２回の場合には、１回目のアサート開始から２回目のアサート開始までの時間を前記移動時間として決定し、
前記検出信号のアサート回数が３回以上の場合には、１回目アサート開始から２回目アサート開始までの時間と、２回目のアサート開始から３回目のアサート開始までの時間と、のうち、長い方の時間を前記移動時間として決定することを特徴とする請求項１に記載の光ディスク装置。
【請求項３】
前記対物レンズの焦点位置が前記光ディスクの表面を通過する際と、前記対物レンズの焦点位置が前記情報記録層を通過する際と、で前記検出信号のアサート期間は同じであることを特徴とする請求項１又は２に記載の光ディスク装置。
【請求項４】
前記光検出手段は、分割された複数の受光領域を有し、
前記所定の信号は、前記複数の受光領域から出力される信号を加算して得られる和信号であることを特徴とする請求項１から３のいずれかに記載の光ディスク装置。
【請求項５】
情報記録層を保護する保護層の厚みが異なる複数種類の光ディスクを判別する光ディスクの判別方法であって、
光源から光を出射した状態で、前記光源から出射された光を集光する対物レンズを、前記光ディスクに近づく方向或いは遠ざかる方向に所定の区間移動させるステップと、
前記対物レンズが前記所定の区間移動する間に、前記光ディスクで反射される光に基づいて得られる所定の信号が所定の閾値を超えると、前記光ディスクの表面或いは前記情報記録層を検出したことを示す検出信号をアサートするステップと、を備え、
前記検出信号のアサート期間は、前記対物レンズの焦点位置が、少なくとも前記光ディスクの表面或いは前記情報記録層を通過する際において、前記検出信号のアサート回数が最大２回となるように設定され、
前記対物レンズが前記所定の区間移動された後に、前記検出信号に基づいて、前記対物レンズの焦点位置が前記光ディスクの表面と前記情報記録層との間を移動する移動時間を決定し、該移動時間に基づいて前記光ディスクの種類を判別することを特徴とする光ディスクの判別方法。
【請求項６】
前記検出信号のアサート回数が２回の場合には、１回目のアサート開始から２回目のアサート開始までの時間を前記移動時間として決定し、
前記検出信号のアサート回数が３回以上の場合には、１回目アサート開始から２回目アサート開始までの時間と、２回目のアサート開始から３回目のアサート開始までの時間と、のうち、長い方の時間を前記移動時間として決定することを特徴とする請求項５に記載の光ディスクの判別方法。
【発明の詳細な説明】
【技術分野】
【０００１】
本発明は、光ディスクの種類を判別する方法に関し、特に、情報記録層を保護する保護層の厚みが異なる光ディスクの種類を判別する方法に関する。また、本発明は、そのような光ディスクの判別方法が適用される光ディスク装置に関する。
【背景技術】
【０００２】
従来、コンパクトディスク（以下、ＣＤという。）やデジタル多用途ディスク（以下、ＤＶＤという。）といった光ディスクが普及している。また、最近では、更に大容量の情報を記録することが可能なブルーレイディスク（以下、ＢＤという。）等の光ディスクも実用化されている。このために、光ディスク装置で光ディスクの再生や記録を行う場合、装置内に挿入されている光ディスクの種類が何であるかを事前に判別しておく必要がある。
【０００３】
光ディスクの種類を判別する方法については、従来多くの技術が提案されている。このような技術の中に、情報記録層を保護する保護層（透明カバー層等と呼ばれることがある）の厚みの違いに基づいて、光ディスクの種類を判別するものがある（特許文献１及び２参照）。その一例を紹介すると、光ディスクの表面による反射光と、情報記録層による反射光を検出し、２つの反射光が検出される時間の差を測定し、それに基づいて光ディスクの種類を判断するというものである。
【特許文献１】特開２００７−９５１３０号公報
【特許文献２】特開２００６−２７７８４８号公報
【発明の開示】
【発明が解決しようとする課題】
【０００４】
しかしながら、上述した光ディスクの表面反射と情報記録層での反射との時間差を利用する構成の場合、次のような問題を有する。光ディスクの表面反射や情報記録層での反射の検出は、光検出器から出力される信号を処理して得られる所定の信号の信号レベルが所定の閾値を超えたか否かで判断する。しかし、光検出器からの出力される信号のばらつきや、光ディスクの反射率のばらつき等が原因となって、表面反射や情報記録層での反射の検出時に、信号のチャタリングが起こる場合がある。そして、このような場合に、光ディスクの種類の判別を誤ることがあった。
【０００５】
以上の点に鑑み、本発明の目的は、情報記録層を保護する保護層の厚みが異なる複数種類の光ディスクに対して、正確に光ディスクの種類判別を行える光ディスクの判別方法を提供することである。また、本発明の他の目的は、そのような光ディスクの判別方法が適用され、正確な光ディスクの判別を行える光ディスク装置を提供することである。
【課題を解決するための手段】
【０００６】
上記目的を達成するために本発明は、
情報記録層を保護する保護層の厚みが異なる複数種類の光ディスクに対して、情報の再生と記録のうち少なくとも一方を行える光ディスク装置であって、
前記光ディスクに光を照射するための光源と、
前記光源から出射される光を前記情報記録層に集光する対物レンズと、
前記光源から出射されて前記光ディスクで反射される光を受光して光電変換する光検出手段と、
前記対物レンズを前記光ディスクに接離する方向に移動する移動手段と、
前記光検出手段から出力される信号を処理する信号処理手段と、
装置内に挿入された前記光ディスクの種類を判別する判別手段と、を備え、
前記光ディスクの種類を判別するにあたって、前記判別手段は、
前記光源から光を出射した状態で、前記移動手段によって前記対物レンズを所定の区間移動する処理と、
前記対物レンズが前記所定の区間移動される際に、前記信号処理手段によって生成される所定の信号が所定の閾値を超えると、前記光ディスクの表面或いは前記情報記録層を検出したことを示す検出信号をアサートする処理と、を実行させ、
前記検出信号のアサート期間は、前記対物レンズの焦点位置が、少なくとも前記光ディスクの表面或いは前記情報記録層を通過する際において、前記検出信号のアサート回数が最大２回となるように設定され、
前記対物レンズが前記所定の区間移動された後に、前記判別手段は、前記検出信号に基づいて、前記対物レンズの焦点位置が前記光ディスクの表面と前記情報記録層との間を移動する移動時間を決定し、該移動時間に基づいて前記光ディスクの種類を判別することを特徴としている。
【０００７】
これによれば、光ディスクの表面或いは情報記録層を検出したこと示す検出信号のアサート期間の設定に工夫が施されている。すなわち、対物レンズの焦点位置が、少なくとも光ディスクの表面或いは情報記録層を通過する際に、検出信号のアサート回数が最大２回となるように、その期間を設定している。このために、検出信号のアサート期間が長すぎて、光ディスクの表面或いは情報記録層の検出に失敗するという事態を防止できる。また、信号のチャタリングが起きた場合であっても、検出信号がアサートされる回数が多くなりすぎて、対物レンズの焦点位置が光ディスクの表面と情報記録層との間を移動する移動時間について決定できないという事態を避けることができる。したがって、本発明によれば、情報記録層を保護する保護層の厚みが異なる複数種類の光ディスクの判別を適切に行える。
【０００８】
また、本発明は、上記構成の光ディスク装置において、前記対物レンズが前記所定の区間移動された後に、前記判別手段は、前記検出信号のアサート回数が２回の場合には、１回目のアサート開始から２回目のアサート開始までの時間を前記移動時間として決定し、前記検出信号のアサート回数が３回以上の場合には、１回目アサート開始から２回目アサート開始までの時間と、２回目のアサート開始から３回目のアサート開始までの時間と、のうち、長い方の時間を前記移動時間として決定することとしてもよい。
【０００９】
これによれば、検出信号のアサート回数が３回を超える場合でも、２つの時間を比較することによって、目的の移動時間を決定できる。したがって、情報記録層を保護する保護層の厚みが異なる複数種類の光ディスクの判別を、複雑な処理をせずに得られる。
【００１０】
また、本発明は、上記構成の光ディスク装置において、前記対物レンズの焦点位置が前記光ディスクの表面を通過する際と、前記対物レンズの焦点位置が前記情報記録層を通過する際と、で前記検出信号のアサート期間は同じであることとするのが好ましい。
【００１１】
これによれば、対物レンズの焦点が光ディスクの表面を通過する場合も、情報記録層を通過する場合も、同じアサート期間としている。このために、本発明の光ディスク装置によれば、判別時の制御動作が複雑とならず、光ディスク装置の構成を簡易なものとできる。
【００１２】
また、本発明は、上記構成の光ディスク装置において、前記光検出手段は、分割された複数の受光領域を有し、前記所定の信号は、前記複数の受光領域から出力される信号を加算して得られる和信号であることとしてもよい。
【００１３】
これによれば、所定の信号は従来の光ディスク装置においても得られる信号である。したがって、従来の構成に対して装置構成を大幅に変更することなく、情報記録層を保護する保護層の厚みが異なる複数種類の光ディスクの判別を適切に行える光ディスク装置を実現できる。したがって、本発明を導入する際のコストアップを抑制できる。
【００１４】
また、本発明は、上記目的を達成するために、
情報記録層を保護する保護層の厚みが異なる複数種類の光ディスクを判別する光ディスクの判別方法であって、
光源から光を出射した状態で、前記光源から出射された光を集光する対物レンズを、前記光ディスクに近づく方向或いは遠ざかる方向に所定の区間移動させるステップと、
前記対物レンズが前記所定の区間移動する間に、前記光ディスクで反射される光に基づいて得られる所定の信号が所定の閾値を超えると、前記光ディスクの表面或いは前記情報記録層を検出したことを示す検出信号をアサートするステップと、を備え、
前記検出信号のアサート期間は、前記対物レンズの焦点位置が、少なくとも前記光ディスクの表面或いは前記情報記録層を通過する際において、前記検出信号のアサート回数が最大２回となるように設定され、
前記対物レンズが前記所定の区間移動された後に、前記検出信号に基づいて、前記対物レンズの焦点位置が前記光ディスクの表面と前記情報記録層との間を移動する移動時間を決定し、該移動時間に基づいて前記光ディスクの種類を判別することを特徴としている。
【００１５】
これによれば、光ディスクの表面或いは情報記録層を検出したこと示す検出信号のアサート期間の設定に工夫が施されている。すなわち、対物レンズの焦点位置が、少なくとも光ディスクの表面或いは情報記録層を通過する際に、検出信号のアサート回数が最大２回となるように、その期間を設定している。このために、検出信号のアサート期間が長すぎて、光ディスクの表面或いは情報記録層の検出に失敗するという事態を防止できる。また、信号のチャタリングが起きた場合であっても、検出信号がアサートされる回数が多くなりすぎて、対物レンズの焦点位置が光ディスクの表面と情報記録層との間を移動する移動時間について決定できないという事態を避けることができる。したがって、本発明によれば、情報記録層を保護する保護層の厚みが異なる複数種類の光ディスクの判別を適切に行える。
【００１６】
また、本発明は、上記構成の光ディスクの判別方法において、前記検出信号のアサート回数が２回の場合には、１回目のアサート開始から２回目のアサート開始までの時間を前記移動時間として決定し、前記検出信号のアサート回数が３回以上の場合には、１回目アサート開始から２回目アサート開始までの時間と、２回目のアサート開始から３回目のアサート開始までの時間と、のうち、長い方の時間を前記移動時間として決定することとしてもよい。
【００１７】
これによれば、複雑な処理をせずに、情報記録層を保護する保護層の厚みが異なる複数種類の光ディスクの判別を適切に行うことが可能となる。
【発明の効果】
【００１８】
本発明によれば、情報記録層を保護する保護層の厚みが異なる複数種類の光ディスクに対して、正確に光ディスクの種類判別を行える方法を提供できる。また、本発明によれば、そのような光ディスクの判別方法が適用され、正確な光ディスクの判別を行うことが可能で、信頼性の高い光ディスク装置を提供できる。
【発明を実施するための最良の形態】
【００１９】
以下、本発明の光ディスクの判別方法、及びそのような判別方法が適用される光ディスク装置について、実施形態を示して詳細に説明する。
【００２０】
まず、本発明の光ディスクの判別方法が適用される光ディスク装置の全体構成について説明する。
【００２１】
図１は、本実施形態の光ディスク装置の構成を示すブロック図である。本実施形態の光ディスク装置１は、光ディスク２０の情報の再生、及び光ディスク２０への情報の記録を可能に設けられている。本実施形態においては、記録再生可能な光ディスク２０の種類は、ＢＤ、ＤＶＤ、及びＣＤである。
【００２２】
スピンドルモータ２は、ターンテーブル（図示せず）に連結され、ターンテーブルを回転可能とする。また、ターンテーブルは、光ディスク２０を着脱自在に保持する。したがって、スピンドルモータ２を回転させることにより、ターンテーブルに保持される光ディスク２０を回転させることができる。このスピンドルモータ２の駆動制御は、スピンドルモータ駆動回路３によって行われる。
【００２３】
光ピックアップ４は、レーザダイオード（光源）４１から出射されるレーザ光を光ディスク２０に照射し、光ディスク２０への情報の書き込みと、光ディスク２０に記録されている情報の読み取りを可能とする。図１に示されるように、光ピックアップ４は、レーザダイオード４１と、レーザダイオード４１から出射されるレーザ光を光ディスク２０の情報記録層２０ａに集光する対物レンズ４２と、対物レンズ４２をフォーカス方向とトラッキング方向とに移動可能とするアクチュエータ４３と、光ディスク２０で反射された反射光を受光して光電変換を行う光検出器４４と、を備える。
【００２４】
なお、フォーカス方向とは、光ディスク２０に接離する方向であって、光ディスク２０の情報記録層２０ａと直交する方向である（図１では上下方向が該当する）。また、トラッキング方向とは、光ディスク２０の半径方向と平行な方向である（図１では左右方向が該当する）。
【００２５】
また、本実施形態の光ディスク装置１は、上述のようにＢＤ、ＤＶＤ及びＣＤに対して情報の記録及び再生が可能となっている。したがって、レーザダイオード４１は、ＢＤ用の波長（例えば波長４０５ｎｍ）、ＤＶＤ用の波長（例えば波長６５０ｎｍ）、ＣＤ用の波長（例えば波長７８０ｎｍ）を有するレーザ光を切り換えて出射できるようになっている。
【００２６】
また、光ピックアップ４は、スライド部４０の駆動によって光ディスク２０の半径方向（図１の左右方向が該当）に移動可能となっており、光ディスク２０の任意のアドレスにアクセス可能となっている。スライド部４０は、例えば、スライドモータと、スライドモータによって回転されるピニオンと、ピニオンと噛み合い、光ピックアップ４のベースに固定されるラック（いずれも図示せず）と、を備え、ラックとピニオンの関係を利用して光ピックアップ４を移動する。
【００２７】
レーザ駆動回路５は、光ピックアップ４が備えるレーザダイオード４１から出射されるレーザ光について、図示しないフロントモニタ用の受光素子で受光される光量を利用してレーザパワーの制御を行ったり、波長の異なるレーザ光を出射する際に、その切り換えの制御を行ったりする。また、記録時においては、外部から入力され、エンコーダ６によって処理された記録信号を受け取り、受け取った信号にしたがってレーザダイオード４１を発振する。
【００２８】
なお、エンコーダ６は、外部から受け取った記録データについて、誤り訂正符号（ＥＣＣ；error correcting code）の付加を行い、所定の記録符号方式によって符号化する。また、記録符号化された信号について、所定のライトストラテジにしたがって、記録用のパルス（記録パルス）を生成する。なお、ライトストラテジとは、記録パルスに対する制御規則のことを指している。
【００２９】
ＦＥＰ（フロントエンドプロセッサ）７は、光ピックアップ４が備える光検出器４４から電気信号を供給される。そして、供給された電気信号について、各種の演算処理、ゲイン調整、ノイズの除去等を行う。具体的には、ＦＥＰ７において、再生ＲＦ信号、フォーカスエラー信号（ＦＥ信号）、トラッキングエラー信号（ＴＥ信号）、総和信号（その詳細は後述する）等が演算処理によって生成される。そして、これら生成された信号は、ゲイン調整等を実行されて後述のＤＳＰ８に出力される。
【００３０】
ＤＳＰ（デジタルシグナルプロセッサ）８は、ＦＥＰ７から供給される再生ＲＦ信号について、ＰＬＬ（Phase Locked Loop）といわれている回路構成を持つ同期信号発生回路（図示せず）で生成されたクロックにタイミングを合わせる形で、ＡＤ変換（アナログデジタル変換）を行う。ＡＤ変換された再生信号はデコーダ９に送られる。
【００３１】
デコーダ９は、データの復調を行うとともに、データのエラーを検出し、エラーが検出された場合において訂正可能であればデータの訂正処理を行う。デコーダ９で得られた再生データは、例えば図示しないインターフェースを介して外部に出力される。なお、デコーダ９はデータの読み取りエラーの発生割合であるエラーレートをシステムコントローラ１２に供給する役割も果たす。
【００３２】
ＤＳＰ８は、サーボコントローラ回路も備えている。このため、システムコントローラ１２の制御下において、ＦＥＰ７から出力されるＦＥ信号及びＴＥ信号を用いて、アクチュエータ駆動回路１０を介してアクチュエータ４３の駆動を制御し、フォーカス制御及びトラッキング制御を行う。また、光ピックアップ４の半径方向の移動を可能とするスライド部４０が備えるスライドモータの制御も行う。また、光ディスク２０の種類の判別時やフォーカスの引き込み時等にも、アクチュエータ駆動回路１０を介してアクチュエータ４３の駆動を制御する。
【００３３】
アクチュエータ駆動回路１０は、ＤＳＰ８のサーボコントローラ回路から出力されるフォーカス制御信号にしたがって、対物レンズ４２の焦点が常に光ディスク２０の情報記録層２０ａ上に合致するようにアクチュエータ４３を駆動させる。また、トラッキング制御信号にしたがって、対物レンズ４２によって集光されたビームスポットの位置が常に光ディスク２０のトラック上をトレースするようにアクチュエータ４３を駆動させる。また、アクチュエータ駆動回路１０は、光ディスク２０の種類の判別時やフォーカスの引き込み時等にも、ＤＳＰ８からの信号によってアクチュエータ４３を駆動させる。
【００３４】
スライドモータ駆動回路１１は、ＤＳＰ８から出力される信号にしたがって、スライド部２５に備えられるスライドモータの駆動を制御する。
【００３５】
システムコントローラ１２は、マイクロコンピュータを備え、光ディスク装置１を構成する各部と図示しない信号線で接続されており、各部が実行すべき所要の動作に応じて適宜制御処理を実行する。また、システムコントローラ１２は、ＤＳＰ８から後述の総和信号を取得する。そして、その詳細な動作については後述するが、総和信号を利用して光ディスク２０の種類を判別する判別手段として機能する。
【００３６】
なお、システムコントローラ１２には、メモリ１３が接続される。メモリ１３には、システムコントローラ１２が各種処理を行う上で必要となる各種のパラメータや動作プログラム等が記憶される。
【００３７】
次に、本実施形態の光ディスク装置１によって実行される光ディスク２０の判別方法について説明する。
【００３８】
図２は、本実施形態の光ディスク装置１が実行する光ディスク２０の判別方法の根本的な原理を説明するための説明図である。光ピックアップ４の対物レンズ４２を、ある位置（その焦点位置が、光ディスク２０の表面２０ｃより手前となる位置）から光ディスク２０に近づける方向に移動した場合を想定する。この場合、対物レンズ４２の焦点位置が光ディスク２０の表面２０ｃ及び情報記録層２０ａを通過する際に、図２に示すように、総和信号がピークを示す。
【００３９】
ここで、総和信号について説明しておく。光検出器４４（図１参照）には、図３に示すような略田の字状に形成された４つに分割領域Ａ、Ｂ、Ｃ、Ｄが形成されている。本実施形態においては、この４つの分割領域Ａ、Ｂ、Ｃ、Ｄからそれぞれ出力される信号を加算して得られる和信号のことを総和信号としている。この総和信号は、光ディスク２０からの反射光の光量に比例して信号レベルが変化する。そして、対物レンズ４２の焦点位置が光ディスク２０の表面２０ｃ及び情報記録層２０ａを通過する際に、反射光量が大きくなるために図２に示すように、信号のピークが得られる。
【００４０】
図４は、ＢＤ、ＤＶＤ、及びＣＤの構造を示す摸式図である。図４に示すように、光ディスク２０の表面２０ｃから情報記録層２０ａまでの距離は各光ディスク２０で異なっている。具体的には、情報記録層２０ａを保護する透明カバー層２０ｂの厚みが、光ディスク２０の種類によって異なる。透明カバー層２０ｂの厚みは、例えば、ＢＤで０．１ｍｍ、ＤＶＤで０．６ｍｍ、ＣＤで１．１ｍｍとなっている。このために、対物レンズ４２を一定の速度パターンで移動する場合、光ディスク２０の表面２０ｃに由来するピークが得られてから、情報記録層２０ａに由来するピーク（いずれも図２参照）が得られる時間が、光ディスク２０の種類によって異なってくる。そして、このことを利用すれば、光ディスク２０の種類を判別できる。
【００４１】
具体的には、例えば次のように光ディスク２０の種類を判別できる。図２に示すように、総和信号の信号レベルに関する閾値を予め設定しておく。ここで、閾値は、対物レンズ４２の焦点位置が光ディスク２０の表面２０ｃ及び情報記録層２０ａを通過したことを検出できるように設定する。閾値を大きく設定しすぎると、光ディスク２０の表面２０ｃ及び情報記録層２０ａの検出ができない。また、閾値を小さく設定しすぎると、表面２０ｃ或いは情報記録層２０ａに由来する信号と信号ノイズとの区別ができない。この点を考慮して、閾値は事前の実験で決定する。
【００４２】
上述のように閾値を設定しておき、対物レンズ４２を一定の速度パターンで光ディスク２０に近づける。そして、総和信号の信号レベルが、設定した閾値を超えた時点で検出信号がアサートされるようにする。このアサート開始が、光ディスク２０の表面２０ｃ或いは情報記録層２０ａの検出を意味することになる。ここで、検出信号のアサート期間は所定の期間（以下では、この期間のことをマスク期間と表現する）で終了するようにする。アサート状態を継続したままとすると、例えば対物レンズ４２を光ディスク２０に近づける方向に移動する場合において、光ディスク２０の表面２０ｃしか検出できなくなるからである。
【００４３】
光ディスク２０の表面２０ｃに由来するアサート開始から、情報記録層２０ａに由来するアサート開始までの時間Ｔｍを取得する。光ディスク２０の表面２０ｃから情報記録層２０ａまでの距離に応じて時間Ｔｍは変わる。このために、所定の閾値（α、β；予め実験を行うことによって決められる）を設定することで、光ディスク装置１に挿入されている光ディスク２０の種類が、ＢＤ、ＤＶＤ、及びＣＤのうちのいずれであるかを判別できる。すなわち、光ディスク２０の種類について、例えば、Ｔｍ≦αの場合はＢＤ、α＜Ｔｍ≦βの場合はＤＶＤ、β＜Ｔｍの場合にはＣＤであると、判別することが可能である。
【００４４】
ただし、光ディスク２０の種類を以上のように判別する構成とすると、信号のチャタリングが生じた場合に、光ディスク２０の種類を誤って判別する可能性がある。信号のチャタリングは、光検出器４４の出力ばらつきや、光ディスク２０の反射率のばらつき等によって生じる。図５は、光ディスク２０の判別時に信号のチャタリングが生じた場合の検出信号の一例を示す模式図である。なお、図５は、光ディスク２０の表面２０ｃの検出時に信号のチャタリングが生じた状態を示している。
【００４５】
図５のような検出信号を取得した場合、上述のＴｍ（図２参照）について、例えば図５におけるＴ１とするか、Ｔ２とするか、で結果が異なる。Ｔ１とした場合について考えてみる。Ｔ１は、信号のチャタリングに起因して得られた２つの検出信号間の時間であるために、非常に短い時間であり、閾値αより小さい。したがって、光ディスク装置１内に挿入されている光ディスク２０がＤＶＤやＣＤである場合に、光ディスク２０の種類を誤判別することになる。一方、Ｔ２とする場合には誤判別しない。
【００４６】
上述のような信号のチャタリングの影響は、マスク期間が短い場合に受け易い。マスク期間が短すぎると、信号のチャタリングによって、検出信号が複数回アサートされる可能性が増加するためである。このために、マスク期間をある程度長くするのが好ましい。しかし、マスク期間を長くしすぎると、情報記録層２０ａの検出に失敗する場合がある（本実施形態のように対物レンズ４２を光ディスク２０に近づける方向に移動する場合の話である）。このようなことから、単純にマスク期間を長くするのは難しい。このような点を考慮して、本実施形態の光ディスク装置１が実行する光ディスク２０の判別方法は、以下のような工夫が施されている。
【００４７】
なお、検出信号のアサート開始を判断する閾値（図２参照）をなるべく高くすることによっても、上述のチャタリングの影響を低減できる。しかし、光ディスク２０の表面２０ｃに由来する総和信号のピークが小さい（例えば、情報記録層２０ａに由来するピークの１／１０程度）ので、あまり閾値を大きくすることはできない。このため、上述のチャタリングの影響を受け易いという状況がある。
【００４８】
本実施形態の光ディスク装置１では、対物レンズ４２の焦点位置が、光ディスク２０の表面２０ｃを通過する場合に、検出信号がアサートされる回数が最大２回となるようにマスク期間が設定される。すなわち、光ディスク２０の表面２０ｃの検出時に、信号のチャタリングが起こらなかった場合には、検出信号が１回アサートされ、信号のチャタリングが生じた場合でも検出信号のアサートは２回となるように、マスク期間は設定される。このマスク期間は、事前に実験によって決めることができる。
【００４９】
そして、このようにマスク期間を設定する場合、マスク期間が長くなりすぎることはないので、情報記録層２０ａの検出に失敗することはない。しかし、この場合には、検出信号のアサート回数が、本来予定される２回（対物レンズ４２の焦点位置が表面２０ｃを通過する際に１回、情報記録層２０ａを通過する際に１回、の合計２回）より多くなることがある。このため、光ディスク２０の判別を誤る可能性がある（例えば図５のような場合）。そこで、以下のように光ディスク２０の判別を行う。
【００５０】
図６は、本実施形態の光ディスク装置１において取得される可能性がある検出信号の信号パターンを示した模式図である。ここで、図６は、光ピックアップ４の対物レンズ４２を光ディスク２０に近づける方向に、所定の区間移動した場合を想定している。所定の区間は、対物レンズ４２の焦点位置が、光ディスク２０の表面２０ｃより手前となる位置から情報記録層２０ａを超える位置までである。
【００５１】
なお、取得される可能性がある検出信号のパターンとして、表面２０ｃ及び／又は情報記録層２０ａを検出し損なって、本来、検出信号がアサートされるべきところでアサートされないような場合もあり得る。しかし、このような事態はエラーが生じたものとして処理すべきであるので、ここでは考慮していない。
【００５２】
図６（ａ）は、信号のチャタリングが全く起こらなかった場合のパターンを示す。この場合には、光ディスク２０の表面２０ｃと情報記録層２０ａとを対物レンズ４２の焦点位置が通過する場合に、それぞれ１回ずつ検出信号がアサートされる。このため、１回目のアサート開始から２回目のアサート開始までの時間Ｔ１を、対物レンズ４２の焦点位置が光ディスク２０の表面２０ｃから情報記録層２０ａまで移動する時間として決定できる。従って、図６（ａ）のように、対物レンズ４２を所定の区間移動した場合の検出信号のアサート回数が２回の場合には、Ｔ１を予め記憶している閾値（上述のα、β）と比較して、光ディスク２０の種類を判別する。
【００５３】
図６（ｂ）は、光ディスク２０の表面２０ｃを検出する際にのみ、信号のチャタリングが生じた場合のパターンである。この場合、検出信号は、対物レンズ４２の焦点位置が光ディスク２０の表面２０ｃを通過する場合に２回アサートされ、情報記録層２０ａを通過する場合に１回アサートされる。
【００５４】
図６（ｃ）は、光ディスク２０の表面２０ｃ及び情報記録層２０ａの両方を検出する際に、信号のチャタリングが生じた場合のパターンである。この場合、検出信号は、対物レンズ４２の焦点位置が光ディスク２０の表面２０ｃを通過する場合に２回アサートされ、情報記録層２０ａを通過する場合に複数回アサートされる。なお、本実施形態では、マスク期間は、光ディスク２０の表面２０ｃを検出する場合と、情報記録層２０ａを検出する場合とで、同じ時間としている。このために、情報記録層２０ａを検出する際に信号のチャタリングが生じた場合も、検出信号のアサート回数は２回となる。ただし、光ディスク２０の表面２０ｃを検出する場合と、情報記録層２０ａを検出する場合とで、マスク期間が異なる構成としても構わない。
【００５５】
図６（ｄ）は、光ディスク２０の情報記録層２０ａを検出する際にのみ、信号のチャタリングが生じた場合のパターンである。この場合、検出信号は、対物レンズ４２の焦点位置が光ディスク２０の表面２０ｃを通過する場合に１回アサートされ、情報記録層２０ａを通過する場合に複数回（本実施形態では２回）アサートされる。
【００５６】
図６（ｂ）から図６（ｄ）の場合のように、対物レンズ４２を所定の区間移動した場合の検出信号のアサート回数が３回以上となる場合には、図６（ａ）と同様の方法で、対物レンズ４２の焦点位置が光ディスク２０の表面２０ｃから情報記録層２０ａまで移動する時間を決定できない。そこで、１回目のアサート開始から２回目のアサート開始までの時間Ｔ１と、２回目のアサート開始から３回目のアサート開始までの時間Ｔ２と、を比較する。そして、時間の長い方を、対物レンズ４２の焦点位置が光ディスク２０の表面２０ｃから情報記録層２０ａまで移動する時間と決定し、光ディスク２０の種類を判別する（上述の閾値α、βとの比較による）こととしている。
【００５７】
信号のチャタリングが原因となって検出信号がアサートされる間隔は非常に短い。このため、上述のように時間Ｔ１と時間Ｔ２の長さを比較して長い方を選択して、対物レンズ４２の焦点位置が光ディスク２０の表面２０ｃから情報記録層２０ａまで移動する時間と決定できる。なお、この構成の場合、対物レンズ４２の焦点位置が光ディスク２０の表面２０ｃから情報記録層２０ａまで移動する時間について、正確な時間を得られない可能性がある。しかし、信号のチャタリングが原因となって検出信号がアサートされる間隔は非常に短いために、閾値α、βの設定の仕方で、上述の時間の不正確さにかかわらず、光ディスク２０を正確に判別できる。
【００５８】
次に、本実施形態の光ディスク装置１によって、光ディスクの種類を判別するフローについて、図７を参照しながら説明する。
【００５９】
システムコントローラ１２（図１参照）から光ディスク２０の種類判別を行うように指示が出されると、対物レンズ４２が所定位置まで下げられる（ステップＳ１）。この際の所定位置は、対物レンズ４２の焦点位置が光ディスク２０の表面２０ｃより十分下側となる位置である。
【００６０】
次に、レーザダイオード（ＬＤ）４１が点灯される（ステップＳ２）。なお、レーザダイオード４１から出射されるレーザ光の波長は、レーザダイオード４１から出射可能な波長のうち、いずれの波長でも構わない。ただし、いずれかの波長のレーザ光を出射して、後述の動作を行った場合に、総和信号について所望のピークが検出できない場合もあり得る。このような場合には、例えば、レーザダイオード４１から出射可能な波長の異なる３つのレーザ光を順次点灯させて、以下に説明する動作を、そのそれぞれの場合について行い、最終的に光ディスクの種類を判別するような構成等としても構わない。
【００６１】
レーザダイオード４１が点灯されると、対物レンズ４２が光ディスク２０に向かう方向に移動開始される。また、これと同時に総和信号の取得も開始される（ステップＳ３）。この際、対物レンズ４２は予め決められた一定の速度パターンで移動する。また、総和信号の取得と合わせて時間計測も行われる。更に、システムコントローラ１２は、取得した総和信号のレベルが、予めメモリ１３に記憶される信号レベルに関する閾値（図２参照）を超えると、予め決められたマスク期間だけ、検出信号をアサートする。
【００６２】
以上の動作を行いながら、対物レンズ４２が所定の位置まで移動すると、対物レンズ４２の移動、及び総和信号の取得が終了する（ステップＳ４）。ここでの所定の位置は、光ディスク２０の表面２０ｃからの距離が最も長い、ＣＤの情報記録層２０ａの位置よりも、対物レンズ４２の焦点位置が上側となる位置である。
【００６３】
次に、システムコントローラ１２は、取得した検出信号について、アサート回数が２回であるか否かを確認する（ステップＳ５）。アサート回数が２回の場合には、上述の図６（ａ）の状態であるので、１回目のアサート開始から２回目のアサート開始までの時間Ｔ１を、対物レンズ４２の焦点位置が光ディスク２０の表面２０ｃから情報記録層２０ａまで移動する際の移動時間として決定する（ステップＳ６）。そして、決定した移動時間Ｔ１を、光ディスク２０の判別のためにメモリ１３に予め記憶しておいた閾値α、βと比較して、光ディスク２０の判別を行う（ステップＳ７）。
【００６４】
一方、検出信号のアサート回数が２回より多い（３つ以上）場合には、１回目のアサート開始から２回目のアサート開始までの時間Ｔ１と、２回目のアサート開始から３回目のアサート開始までの時間Ｔ２と、比較する。具体的には、Ｔ１＜Ｔ２であるか否かが確認される（ステップＳ８）。
【００６５】
Ｔ１＜Ｔ２の場合（図６（ｂ）、（ｃ）の状態）には、長い方の時間であるＴ２を、対物レンズ４２の焦点位置が光ディスク２０の表面２０ｃから情報記録層２０ａまで移動する際の移動時間と決定する（ステップＳ９）。そして、決定した移動時間Ｔ２を、光ディスク２０の判別のためにメモリ１３に予め記憶しておいた閾値α、βと比較して、光ディスク２０の判別を行う（ステップＳ１０）。
【００６６】
一方、Ｔ１＜Ｔ２ではない場合（すなわち、Ｔ１＞Ｔ２の場合。図６（ｄ）の状態）には、長い方の時間であるＴ１を、対物レンズ４２の焦点位置が光ディスク２０の表面２０ｃから情報記録層２０ａまで移動する際の移動時間と決定する（ステップＳ１１）。そして、決定した移動時間Ｔ１を、光ディスク２０の判別のためにメモリ１３に予め記憶しておいた閾値α、βと比較して、光ディスク２０の判別を行う（ステップＳ１２）。
【００６７】
以上により、信号のチャタリングが生じたような場合でも、光ディスク２０の判別を適切に行える。このため、本実施形態の光ディスク装置１は、信頼性の高い光ディスク装置であると言える。
【００６８】
（その他）
以上に示した実施形態は一例であり、本発明は上述の実施形態に限定されるものではなく、本発明の目的を逸脱しない範囲で種々の変更が可能である。
【００６９】
以上に示した実施形態においては、対物レンズ４２の移動方向を光ディスク２０に近づける方向に移動する動作を実行することで、光ディスク２０の判別を行う構成とした。しかし、これに限定されず、対物レンズ４２の移動方向を光ディスク２０から遠ざける方向に移動する動作を実行する（この場合は、情報記録層２０ａ、表面２０ｃの順に検出することになる）ことで、光ディスク２０の判別を行う構成としてもよい。この場合には、少なくとも、対物レンズ４２の焦点位置が光ディスク２０の情報記録層２０ａを通過する場合に、検出信号がアサートされる回数が最大２回となるようにマスク期間を設定する。
【００７０】
また、以上に示した実施形態においては、総和信号を利用して光ディスク２０の種類を判別する構成としたが、これに限定されない。すなわち、例えば、フォーカスエラー信号のＳ字カーブを利用する構成等としても構わない。
【００７１】
また、以上に示した実施形態においては、光ディスク装置１が情報の再生及び記録を行える光ディスク２０の種類がＢＤ、ＤＶＤ、及びＣＤである場合の判別方法を示した。しかし、これに限定される趣旨ではなく、本発明は、情報記録層２０ａを保護する透明カバー層（保護層）２０ｂの厚みが異なる複数種類の光ディスク２０の判別に広く適用できる。
【００７２】
また、本実施形態では、光ディスク装置１は、情報の再生と記録を行える構成としたが、光ディスク装置が、再生専用の装置であっても、本発明は当然適用できる。
【産業上の利用可能性】
【００７３】
本発明によれば、情報記録層を保護する保護層の厚みが異なる複数の光ディスクに対して、正確に光ディスクの種類を判別できる。したがって、本発明は、産業上有用である。
【図面の簡単な説明】
【００７４】
【図１】は、本実施形態の光ディスク装置の構成を示すブロック図である。
【図２】は、本実施形態の光ディスク装置が実行する光ディスクの判別方法の根本的な原理を説明するための説明図である。
【図３】は、本実施形態の光ディスク装置に備えられる光検出器の構成について説明するための図である。
【図４】は、ＢＤ、ＤＶＤ、及びＣＤの構造を示す摸式図である。
【図５】は、光ディスクの判別時に信号のチャタリングが生じた場合の検出信号の一例を示す模式図である。
【図６】は、本実施形態の光ディスク装置において取得される可能性がある検出信号の信号パターンを示した模式図である。
【図７】は、本実施形態の光ディスク装置によって、光ディスクの種類を判別するフローを示したフローチャートである。
【符号の説明】
【００７５】
１        光ディスク装置
７        ＦＥＰ（信号処理手段）
１２      システムコントローラ（判別手段）
２０      光ディスク
２０ａ    情報記録層
２０ｂ    透明カバー層（保護層）
２０ｃ    表面
４１      レーザダイオード（光源）
４２      対物レンズ
４３      アクチュエータ（移動手段）
４４      光検出器（光検出手段）
【図１】
2009151843.tif 000003
【図２】
2009151843.tif 000004
【図３】
2009151843.tif 000005
【図４】
2009151843.tif 000006
【図５】
2009151843.tif 000007
【図６】
2009151843.tif 000008
【図７】
2009151843.tif 000009